(57)【要約】【課題】容器の両端から開封することが出来、廃棄時の展開性に優れる包装容器であって、比重が大きく自動販売機で製品が途中で引っ掛かることが少ないようにすることが出来る、また、ガラス容器よりも強度が強く、紙容器よりも耐水性があり、プラスチック容器よりも安価な自動販売機用包装容器の提供。【解決手段】両端に開口部を有する筒状部材と、この筒状部材の開口部のうちいずれか一方の開口部に嵌合される第一封止部材と、前記筒状部材の他方の開口部に嵌合される第二封止部材とを有し、前記筒状部材、第一封止部材及び第二封止部材は、植物性粉末と樹脂との混合物からなることを特徴とする自動販売機用包装容器。【選択図】図１
2011073690.tif 000002
【特許請求の範囲】
【請求項１】
両端に開口部を有する筒状部材と、この筒状部材の開口部のうちいずれか一方の開口部に嵌合される第一封止部材と、前記筒状部材の他方の開口部に嵌合される第二封止部材とを有し、
前記筒状部材、第一封止部材及び第二封止部材は、植物性粉末と樹脂との混合物からなることを特徴とする自動販売機用包装容器。
【請求項２】
前記第一封止部材および第二封止部材のいずれか一方が、前記筒状部材に貼着されていることを特徴とする請求項１に記載の自動販売機用包装容器。
【請求項３】
前記筒状部材の厚さが０．１〜１０ｍｍであることを特徴とする請求項１または２に記載の自動販売機用包装容器。
【請求項４】
前記植物性粉体と樹脂との混合物に占める植物性粉体の含有比率が５１％以上８０％以下であることを特徴とする請求項１乃至３のいずれか１項に記載の自動販売機用包装容器。
【請求項５】
最外周にプラスチックフィルムを被覆してなることを特徴とする請求項１乃至４のいずれか１項に記載の自動販売機用包装容器。
【発明の詳細な説明】
【技術分野】
【０００１】
本発明は、飲料用自動販売機による、菓子販売用の容器に関するものである。
【背景技術】
【０００２】
近年、自動販売機が普及し、扱われる商品も、清涼飲料水や酒類など液体飲料を始め、菓子類や栄養補助食品のような食品、さらにはマスクやストッキングなどのような非食品など、多岐に渡っている。
【０００３】
従来、飲料用販売機と共に菓子用販売機が別々に供される場合が多く、同時に購入したいと考える利用者から見れば至極不便であり、一方設置者および販売者から見れば、設置場所の制限や流通費用が嵩むなどの点から著しく不経済であった。このような状況を鑑みて、飲料用販売機にて供される缶容器と、略同一の形状の容器に菓子類を充填することで、菓子用販売機を設けずとも飲料用販売機にて菓子類を供することが提案されている（例えば、特許文献１および２）。
【先行技術文献】
【特許文献】
【０００４】
【特許文献１】実開平３−１５３２１号公報
【特許文献２】実開平５−８６８１８号公報
【発明の概要】
【発明が解決しようとする課題】
【０００５】
しかしながら、上記特許文献１，２の容器では、プラスチック製の容器を使用しているため原材料が高く、かつ環境に良くないといった問題があった。また、紙箱を使用した容器の提案もあるが、現在主流の飲料用自販機では重量不足により製品が落下しないまたは途中で引っ掛るなどの問題を有していた。
【０００６】
そこで、本発明は、このような従来技術の問題を解決するためになされたものであり、飲料用販売機にて菓子類を供する容器を提供することを課題とする。
【課題を解決するための手段】
【０００７】
すなわち、請求項１に記載の発明は、両端に開口部を有する筒状部材と、この筒状部材の開口部のうちいずれか一方の開口部に嵌合される第一封止部材と、前記筒状部材の他方の開口部に嵌合される第二封止部材とを有し、
前記筒状部材、第一封止部材及び第二封止部材は、植物性粉末と樹脂との混合物からなることを特徴とする自動販売機用包装容器である。
【０００８】
この発明によれば、胴部を構成する筒状部材を第一封止部材と第二封止部材で嵌合することで、容器の両端から開封することが出来、廃棄時の展開性に優れる。
また、容器の構成材料として植物性粉体と樹脂との混合物を用いることで、比重が大きく自動販売機で製品が途中で引っ掛かることが少ないようにすることが出来る。また、ガラス容器よりも強度が強く、紙容器よりも耐水性があり、プラスチック容器よりも安価なものとすることが出来る。
【０００９】
つぎに請求項２に記載の発明は、前記第一封止部材および第二封止部材のいずれか一方が、前記筒状部材に貼着されていることを特徴とする請求項１に記載の自動販売機用包装容器である。
これによって、貼着されていない一方の開口部からのみ開封可能とすることで、内容物の意図しない落下を防止することが出来る。
【００１０】
請求項３に記載の発明は、前記筒状部材の厚さが０．１〜１０ｍｍであることを特徴とする請求項１または２に記載の自動販売機用包装容器である。
筒状部材の厚さが０．１ｍｍ未満であると筒状部材に必要な強度を付与することが出来ず、１０ｍｍより厚いと材料コストがかかるだけでなく成形性が悪くなってしまう。
【００１１】
請求項４に記載の発明は、前記植物性粉体と樹脂との混合物に占める植物性粉体の含有比率が５１％以上８０％以下であることを特徴とする請求項１乃至３のいずれか１項に記載の自動販売機用包装容器である。
安価な植物性粉体の含有比率が５１％未満であると材料コストが上昇する。また、植物性粉体の含有比率が８０％よりも多いと成形が困難になると同時に成形品の強度不足、耐水性不足を招来し、はなはだしい場合にはつなぎとなる樹脂が不足することによってボロボロ粉体が落ちることになる。
【００１２】
請求項５に記載の発明は、最外周にプラスチックフィルムを被覆してなることを特徴とする請求項１乃至４のいずれか１項に記載の自動販売機用包装容器である。
プラスチックフィルムを被覆することによって、容器外面を保護して、その汚れや傷付き、あるいは水分の侵入を防止することができる。また、自動販売機内での滑り不良も起きにくくその意匠性を向上させることができる。
【発明の効果】
【００１３】
従って本発明の容器によれば、飲料用自動販売機において菓子類を販売するための容器として、木質を原料とする木材チップまたは木粉等の植物性粉体とプラスチックの混合物を容器の構成材料に使用している点で、安価で環境保護の観点からも優れた飲料用自販機に適する容器とすることが出来る。また、紙やプラスチックよりも比重の大きい構成材料を用いることによって、飲料用自販機で起こる、重量不足により製品が落下しないまたは途中で引っ掛るなどの問題をなくすことが出来る。
【図面の簡単な説明】
【００１４】
【図１】本発明の実施形態を、筒状部材、第一封止部材、第二封止部材に分離して示す斜視図
【図２】本発明の別の実施形態を、筒状部材、第一封止部材、第二封止部材に分離して示す斜視図
【発明を実施するための形態】
【００１５】
次に、図面を参照して本発明を説明する。
【００１６】
本発明の自動販売機用包装容器は、図１に示すように、筒状部材（１）と、有底筒状の第一封止部材（２）と、有底筒状の第二封止部材（３）とでその主要部が構成されるものである。第一封止部材（２）と第二封止部材（３）は図２に示すような嵌め込みの蓋材であってもよい。
【００１７】
そして、筒状部材（１）の両端の開口部（４）、（５）のうちいずれか一方の開口部に前記第一封止部材（２）が着脱自在に嵌合されている。一度開封した前記第一封止部材（２）は筒状部材（１）から分離可能であると共に、筒状部材（１）の端部に再度被せることができる。すなわち、着脱自在である。
【００１８】
次に、他方の開口部に前記第二封止部材（３）が嵌合されている（図１参照）。第二封
止部材（３）は筒状部材（１）に貼着固定されていてもよいし、着脱自在に筒状部材（１）に嵌合されていてもよい。第二封止部材（３）が筒状部材（１）に貼着固定されている場合には容器の開封は常に第一封止部材（２）の取り外しによって行うことになる。このため、誤って両端が開くことがなく、菓子類の落下を防止することが可能となる。
【００１９】
なお、図１に示した筒状部材（１）の高さ（ａ）は、第一封止部材（２）の高さ（ｂ）と第二封止部材（３）の高さ（ｃ）の合計（ｂ＋ｃ）より大きいか、せいぜい等しいことが望ましい。
封止部材（２）、（３）によって筒状部材（１）がほぼ被覆されている図１に示した構造の場合には、筒状部材（１）と封止部材（２）、（３）の側面が重なり合っているためにそれぞれの膜厚自体を薄くしたとしても必要な強度を得ることが可能である。代表的な場合では、筒状部分（１）の膜厚と封止部材（２）または（３）の膜厚の合計が０．１〜１０ｍｍとなればよい。
これに対して図２のように封止部材（２）、（３）が蓋材としての役目のみで容器側面が筒状部材（１）のみからなる場合には筒状部材（１）の厚さのみで上記の筒状部分の膜厚と封止部材の膜厚の合計になるようにしなければならない。
さらに、図１の構造では用いる部材の膜厚を薄くすることによって精度のよい成型が可能となる。
【００２０】
なお、本発明の自動販売機用包装容器は、これら筒状部材（１）、第一封止部材（２）、第二封止部材（３）のほか、図示しないプラスチックフィルムを使用して、このプラスチックフィルムで包装容器全体を被覆したものであってもよい。
【００２１】
この包装容器は植物性粉体と樹脂の混合物を使用しているため、安価に製造できる。植物性粉体としては、廃材を原料とした木粉や茶殻、コーヒー豆殻の粉等の安価な材料が使用できる。
また、使用する樹脂としては通常包装容器として用いられるプラスチックであればよく特に限定されない。また、包装容器の収納物を含めた総重量は、自動販売機で途中で引っ掛らないようにするためには一定以上たとえば１８０ｇ以上であることが望ましい。
なお、この包装容器は筒状部材の両端の開口部を第一封止部材及び第二封止部材によって嵌合しているから、収納した菓子類の保護性能も優れている。例えば、耐水性、耐熱性、防傷性、防汚性などの保護性能である。
【００２２】
次に、本発明の包装容器を構成する各部材について説明する。
【００２３】
まず、筒状部材（１）については、この筒状部材によって本発明の自動販売機用包装容器の外形は決定される。このため、筒状部材は現在汎用の飲料用自動販売機に適合する外形と大きさとを有する必要がある。すなわち、筒状部材（１）の外径はおよそ４０〜７０ｍｍの範囲にある必要がある。
【００２４】
本発明の包装容器に使用する筒状部材として、図１および図２には円筒状の部材を示しているが、この他，多角筒状、カップ状、円錐状、中央部が膨らんだオーバル状など各種形状のものを用いてもかまわない。
【００２５】
次に、第一封止部材（２）及び第二封止部材（３）はいずれも有底筒状の形状を有し、その周壁を構成する筒状の部材（８）、（９）と、この筒状の部材のいずれか一方の開口部を塞いで筒状の部材に固定された蓋部材（６）、（７）とで構成されたものである。
なお、上記蓋部材のみで構成される封止部材であっても、強度保持や製造の条件の点で若干の違いはあるが、たとえば、図２のように筒状部材（１）の内面に嵌め込む形で用いることが出来る。
【００２６】
前記の封止部材（２）、（３）に用いる筒状の部材（８）、（９）は、容器を形成する筒状部材（１）の外径とほぼ同一の内径を有し、隙間なく筒状部材（１）に被せることができるものであることが望ましい。このような封止部材としては、インジェクションや押し出しなどの成形法により得られた封止部材を使用することが簡便である。
すなわち、平坦な部材を丸めあるいは折り曲げて筒状とし、その両端を互いに接着してこの筒状の部材を得ることができる。図１は、第一封止部材（２）及び第二封止部材（３）として円筒状に丸めて得られた筒状の部材を用いた例である。必要であれば、この筒状の部材には開封用切込み線（図示せず）を設けることもできる。
【００２７】
封止部材に用いる筒状の部材及び蓋部材は植物性粉体と樹脂の混合物から構成されているため、紙単体から構成した場合に比較して、耐水性、耐熱性、防傷性、防汚性などの保護性能が格段に向上する。樹脂としてはポリエチレン、ポリエステル、ポリプロピレンなどが使用できる。
【００２８】
また、包装容器全体を被覆する前記プラスチックフィルムとしては、ポリエチレンやポリプロピレンなどのポリオレフィンフィルム、ポリ塩化ビニルフィルム、ポリエステルフィルム、ポリスチレンフィルムなどが利用できる。
【００２９】
次に、本発明の自動販売機用包装容器は、まず第一封止部材及び第二封止部材のうちいずれか一方を筒状部材の端部に嵌合して筒状部材の一端を封止し、次にこの筒状部材の内部に菓子類を収納した後、他方の封止部材を筒状部材の開口端部に嵌合することで組み立てることができる。
【符号の説明】
【００３０】
１…筒状部材
２…封止部材
３…封止部材
４…開口部
５…開口部
６…蓋部材
７…蓋部材
８…筒状の部材
９…筒状の部材
ａ…筒状部材の高さ
ｂ…封止部材の高さ
ｃ…封止部材の高さ
【図１】
2011073690.tif 000003
【図２】
2011073690.tif 000004